(57)【要約】      （修正有）【課題】工具がなくとも制御装置をせん断具に組み付け可能であり、且つ制御装置がせん断具から脱離しない構造を有するせん断具の制御装置を提供する。【解決手段】刃本体を備える一対のグリップを含み、グリップは互いに枢結されて枢動可能であるせん断具において、刃本体の開閉を調整する制御装置１であって、制御装置は第１ユニット１１と第２ユニット１２を含み、第１ユニットは頭部１１１を備え、頭部にはスタッド部１１２が延伸形成され、第２ユニットは頭部１２１を備え、頭部の一端面に中空管体１２２が延伸形成され、スタッド部にフック部１１３が設けられ、中空管体が窓１２３を備え、スタッド部は中空管体に挿入及び係合する形状とされ、フック部が窓の辺縁に係合されることで、第１ユニットと第２ユニットが堅固に位置決めされる。【選択図】図１
0003202651.tif 000002
【実用新案登録請求の範囲】
【請求項１】
切断及び閉止するせん断具の制御装置であって、せん断具は、刃本体を備える第１のグリップと第２のグリップを含み、当該第１のグリップと当該第２のグリップが互いに交差するよう枢結されて枢動可能であるせん断具の制御装置において、
当該制御装置は、グリップに設けられるとともに、
頭部を備える第１ユニットであって、当該頭部の内側の一端縁にロッド孔が設けられるとともに、側辺からスタッド部が延伸形成され、当該スタッド部と当該ロッド孔の位置が上下に対向しており、前記スタッド部の一方の側辺にフック部が突出するよう延伸形成され、当該フック部と対向するスタッド部の中央に貫通溝が形成され、前記貫通溝の縦方向の長さは当該フック部の縦方向の長さよりも大きいが、当該スタッド部の縦方向の長さよりは小さく、当該フック部は当該スタッド部の側辺から突出するよう延伸形成され且つ斜面を備えたブロック体であり、当該斜面が当該スタッド部の基端に向かって当該頭部の背面に対向して形成され、当該貫通溝が、当該スタッド部の縦方向中央に長尺の透かし彫り孔形状に延伸形成される第１ユニットと、
頭部を備える第２ユニットであって、当該頭部には、側壁が内向きに突出するよう延伸することで階段状の平台が形成されており、当該平台の辺縁部には止め部が突出しており、当該平台の側辺には凹溝とロッド孔が設けられ、当該平台における当該止め部の下方に距離を置いてアーチ状の凹溝が設けられることで、当該止め部が圧縮のための弾性空間を備えており、当該平台の辺縁には、パイプ形状の中空管体が延伸形成されており、当該中空管体は一端に開口を備えるとともに、管壁の一方の側辺に窓が設けられており、当該窓は管壁を貫通するとともに、当該第１ユニットにおけるフック部の形状に対応する幅とされている第２ユニットと、
一端が当該第１ユニットのロッド孔に挿入され、他端が当該第２ユニットのロッド孔に挿入されるロッド部と、を含み、
当該第１ユニットのスタッド部が、当該中空管体のパイプに挿入及び係合される形状とされ、前記第１ユニットのスタッド部が当該第２ユニットの中空管体におけるパイプ開口から挿入され、当該フック部は、当該貫通溝が設計されていることから、当該フック部を圧縮可能とする弾性空間を備えており、当該スタッド部が当該中空管体のパイプ内に当該フック部に至るまで挿入されると、当該フック部はその斜面によって管壁に押圧されつつ圧縮されて、スムーズに当該中空管体のパイプ内に進入し、且つ、当該フック部は当該窓部分に到達すると跳ね返ることで元の状態に戻り、当該窓の端縁に係合され、当該フック部は当該窓の辺縁に係合されて互いに組み付けられ、当該第１ユニットと当該第２ユニットが組み合わされて脱離することがない、ことを特徴とするせん断具の制御装置。
【請求項２】
当該第１のグリップの一端には壁体が延伸形成されており、当該壁体は第１面と第２面を備え、刃本体が壁体の端部に組み付けられており、当該壁体の第１面には収容部が設けられ、当該収容部の上縁には１以上の凹陥部が設けられ、当該収容部の底面にはレールが設けられ、当該レールが当該第１のグリップの壁体における第１面を貫通しており、当該第２面には凹陥状の収容部が設けられ、前記収容部にはレールが設けられ、当該レールが当該壁体の第２面を貫通している、請求項１記載のせん断具の制御装置。
【請求項３】
切断及び閉止するせん断具の制御装置であって、せん断具は、刃本体を備える第１のグリップと第２のグリップを含み、当該第１のグリップと当該第２のグリップが互いに交差するよう枢結されて枢動可能であるせん断具の制御装置において、
当該制御装置は、グリップに設けられるとともに、
頭部を備える第１ユニットであって、当該頭部の内側の辺縁にスタッド部が延伸形成され、前記スタッド部の一方の側辺にフック部が突出するよう延伸形成され、当該フック部と対向するスタッド部の中央に貫通溝が形成され、前記貫通溝の縦方向の長さは当該フック部の縦方向の長さよりも大きいが、当該スタッド部の縦方向の長さよりは小さく、当該フック部は当該スタッド部の側辺から突出するよう延伸形成され且つ斜面を備えたブロック体であり、当該斜面が当該スタッド部の基端に向かって当該頭部の背面に対向して形成され、当該貫通溝が、当該スタッド部の縦方向中央に長尺の透かし彫り孔形状に延伸形成される第１ユニットと、
頭部を備える第２ユニットであって、当該頭部には、側壁が内向きに延伸することでパイプ形状の中空管体が形成され、当該中空管体は一端に開口を備えるとともに、管壁の一方の側辺に窓が設けられており、当該窓は管壁を貫通するとともに、当該第１ユニットにおけるフック部の形状に対応する幅とされている第２ユニットと、を含み、
当該第１ユニットのスタッド部が、当該中空管体のパイプに挿入及び係合される形状とされ、前記第１ユニットのスタッド部が当該第２ユニットの中空管体におけるパイプ開口から挿入され、当該フック部は、貫通溝が設計されていることから、当該フック部を圧縮可能とする弾性空間を備えており、当該スタッド部が当該中空管体のパイプ内に当該フック部に至るまで挿入されると、当該フック部はその斜面によって管壁に押圧されつつ圧縮されて、スムーズに当該中空管体のパイプ内に進入し、且つ、当該フック部は当該窓部分に到達すると跳ね返ることで元の状態に戻り、当該窓の端縁に係合され、当該フック部は当該窓の辺縁に係合されて互いに組み付けられ、当該第１ユニットと当該第２ユニットが組み合わされて脱離することがない、ことを特徴とするせん断具の制御装置。
【請求項４】
当該第１のグリップの一端には壁体が延伸形成されており、当該壁体は第１面と第２面を備え、刃本体が壁体の端部に組み付けられており、当該壁体の第１面には凹陥状の収容部が設けられ、当該収容部の上縁には１以上の凹陥部が設けられ、当該収容部の底面にはレールが設けられ、当該レールが当該第１のグリップの壁体における第１面を貫通しており、当該第２面には凹陥状の収容部が設けられ、前記収容部にはレールが設けられ、当該レールが当該壁体の第２面を貫通しており、当該第２ユニットには、側壁が内向きに突出するよう延伸することで階段状の平台が形成されており、当該平台の辺縁部に止め部が突出しており、当該平台の辺縁に凹溝が設けられており、当該止め部は、凹陥部に対応して当該制御装置の位置調整を行う際に一時的な位置決めに用いられる、請求項３記載のせん断具の制御装置。
【請求項５】
当該第１ユニットの頭部の内側の一端縁にロッド孔が設けられており、当該第２ユニットの平台の側辺には凹溝とロッド孔が設けられている、請求項３記載のせん断具の制御装置。
【請求項６】
当該第１ユニットと当該第２のユニットの間にはロッド部が設けられ、当該ロッド部は一端が当該第１ユニットのロッド孔に挿入され、他端が当該第２ユニットのロッド孔に挿入される、請求項５記載のせん断具の制御装置。
【考案の詳細な説明】
【技術分野】
【０００１】
本考案におけるせん断具の制御装置とは、園芸又は一般せん断用の工具として、一対のグリップを互いに枢動することで一対の刃本体を開閉するものであり、主に、せん断具の一対のグリップにおける相互の開放ピッチを調整する開閉調整構造に関する
【背景技術】
【０００２】
一般的なせん断具は、互いに枢結される一対のグリップを備え、当該グリップは、開放状態で展開され、一定のピッチをもって離間する。通常、使用者の手は人によって大きさが異なる。例えば、一般的に女性の手は小さく、男性の手は大きい。そのため、グリップの展開ピッチが大きすぎると、女性にとっては把持操作がしにくい。そこで、使用者がせん断具を操作する上で必要な力を軽減するよう、グリップの展開ピッチを調整可能とする制御装置がすでに開発されている。
【０００３】
例えば、特許文献１におけるせん断具の開放ピッチ調整機構では、互いに枢結された２つのせん断本体に、ストッパーと、ストッパーに対応する位置規制部が設けられており、２つのせん断本体間の開放ピッチを確実に調整可能としている。これにより、使用者の手の平の幅に合わせて使用できるため、総体的な実用性が高まっている。更に、ストッパーと位置規制部との組み合わせは全体構造の中央部に設けられ、且つ隠匿構造とされているため、保護性に優れ、実用性の高い構造となっている。
【０００４】
以上で述べた当該開放ピッチ調整機構のストッパーは、ねじでせん断具に組み付けられている。しかし、このような構造では、使用者が長期的に操作使用することで当該ストッパーのねじが緩む恐れがある。更には、ストッパーの取り付けに工具を使用せねばならないとの欠点がある。
【０００５】
そこで、本考案者らによる制御装置では、上述のストッパーと同様の機能を達成するとともに、工具がなくとも当該制御装置をせん断具に組み付け可能とすることで、せん断具の組み立て速度を高速化するほか、製造コストを削減し、且つ当該制御装置がせん断具から脱離しない構造とする。
【先行技術文献】
【特許文献】
【０００６】
【特許文献１】台湾特許第ＴＷＩ２７３８８６号
【考案の概要】
【０００７】
切断及び閉止するせん断具の制御装置であって、せん断具は、刃本体を備える一対のグリップを含み、前記一対のグリップは互いに交差するよう枢結されて枢動可能である。本考案は、グリップに設けられる制御装置についてのものであり、当該制御装置を操作することで、段階的に一対のグリップの開口ピッチを調整したり、グリップの固定位置を調整して刃本体を開閉可能としたりする。
【０００８】
前記制御装置は第１ユニットと第２ユニットを含み、当該第１ユニットは係合構造によって当該第２ユニットに組み付けられる。当該第１ユニットは頭部を備え、当該頭部にはスタッド部が延伸形成されており、当該第２ユニットは頭部を備え、頭部の一端面に中空管体が延伸形成されており、前記スタッド部にフック部が設けられ、前記中空管体が窓を備え、当該スタッド部は当該中空管体に挿入及び係合する形状とされ、当該フック部が当該窓の辺縁に係合されることで、当該第１ユニットと当該第２ユニットが堅固に位置決めされて組み付けられる。
【０００９】
前記第１ユニットは、当該グリップの片方に貫設されて当該第２ユニットに堅固に組み付けられることで、制御装置を構成する。且つ、当該制御装置は当該グリップから脱離することがない。よって、当該制御装置は当該グリップ上でピッチを規制するための変位が可能であり、これにより一対のグリップの開口ピッチが調整される。
【図面の簡単な説明】
【００１０】
【図１】図１は、本考案における制御装置の分解図である。
【図１−１】図１−１は、図１の第２ユニットを別の側面から見た図である。
【図２】図２は、本考案におけるせん断具と制御装置の分解図である。
【図２−１】図２−１は、図２の収容部を拡大した図である。
【図３】図３は、本考案におけるせん断具と制御装置の他の側面から見た分解図である。
【図４】図４は、本考案の組み立て断面図である。
【図５】図５は、本考案の組み立て斜視図である。
【図６】図６は、本考案の部分断面図である。
【図７】図７は、本考案の実施形態を示す第１の図である。
【図８】図８は、本考案の実施形態を示す第２の図である。
【考案を実施するための形態】
【００１１】
以下に、本考案の目的、特徴及び効果に対する理解を更に深め、当業者が本明細書の記載に基づき実施可能なように、本考案の好ましい実施例における図面を組み合わせて更に詳細に説明する。
【００１２】
本考案は、せん断具のグリップに組み付けられる制御装置を開示する。まず、図１〜図４を参照して、せん断具は刃本体２１１，２２１を備える第１のグリップ２１及び第２のグリップ２２を含む。当該第１のグリップ２１と当該第２のグリップ２２は互いに交差するよう枢結されており、枢動可能である。本考案では、当該第１のグリップ２１と当該第２のグリップ２２の間に設けられる制御装置１を主な特徴的実施形態とする。
【００１３】
前記制御装置１は、頭部１１１を備える第１ユニット１１を含む。当該頭部１１１の内側の一端縁にはロッド孔１１１ａが設けられるとともに、側辺からスタッド部１１２が延伸形成されている。当該スタッド部１１２と当該ロッド孔１１１ａの位置は上下に対向しており、前記スタッド部１１２の一方の側辺にフック部１１３が突出するよう延伸形成されている。当該フック部１１３と対向するスタッド部１１２の中央には、貫通溝１１４が形成されている。前記貫通溝１１４の縦方向の長さは当該フック部１１３の縦方向の長さよりも大きいが、当該スタッド部１１２の縦方向の長さよりは小さい。別途詳細に定義して説明すると、当該フック部１１３は、当該スタッド部１１２の側辺から突出するよう延伸形成され、且つ斜面１１３ａを備えるブロック体である。当該斜面１１３ａは、当該スタッド部１１２の基端に向かって当該頭部１１１の背面に対向して形成される。また、当該貫通溝１１４は、当該スタッド部１１２の縦方向中央に、長尺の透かし彫り孔形状に延伸形成されている。
【００１４】
第２ユニット１２は頭部１２１を備える。図１−１に示すように、当該頭部１２１には、側壁が内向きに突出するよう延伸することで階段状の平台１２４が形成されている。当該平台１２４の辺縁部には止め部１２４ａが突出しており、当該平台１２４の側辺には凹溝１２５とロッド孔１２１ａが設けられている。詳細には、当該平台１２４における当該止め部１２４ａの下方に距離を置いてアーチ状の凹溝１２５が設けられている。当該凹溝１２５によって、当該止め部１２４ａには圧縮のための弾性空間が備えられる。
【００１５】
また、当該平台１２４の辺縁には、パイプ形状の中空管体１２２が延伸形成されている。当該中空管体１２２は一端に開口１２６を備え、管壁における一方の側辺に窓１２３が設けられている。当該窓１２３は管壁を貫通しており、且つ、当該第１ユニット１１におけるフック部１１３の形状に対応する幅とされている。当該第１ユニット１１のスタッド部１１２は、当該中空管体１２２のパイプに挿入及び係合される形状である。前記第１ユニット１１のスタッド部１１２は、当該第２ユニット１２の中空管体１２２におけるパイプ開口１２６から挿入される。当該フック部１１３は、貫通溝１１４が設計されていることから、当該フック部１１３を圧縮可能とする弾性空間を備えている。よって、当該スタッド部１１２が当該中空管体１２２のパイプ内に当該フック部１１３まで挿入されると、当該フック部１１３はその斜面１１３ａによって管壁に押圧されつつ圧縮されて、スムーズに当該中空管体１２２のパイプ内に進入していく。そして、当該フック部１１３は当該窓１２３部分に到達すると跳ね返ることで元の状態に戻り、当該窓１２３の端縁に係合する。これにより、当該フック部１１３が当該窓１２３の辺縁に係止されて互いに組み付けられるので、脱離することがない。
【００１６】
前記制御装置１のユニットは、一端が第１ユニット１１のロッド孔１１１ａに挿入され、他端が第２ユニット１２のロッド孔１２１ａに挿入されるロッド部１３を更に含む。
【００１７】
前記せん断具は、一端に壁体２１ａが延伸形成される第１のグリップ２１を含む。当該壁体２１ａは、第１面２１ａ１と第２面２１ａ２を備える。また、刃本体２１１は当該壁体２１ａの端部に組み付けられている。当該壁体２１ａの第１面２１ａ１には、凹陥状の収容部３ａが設けられており、前記収容部３ａにレール３ａ１が設けられている。当該レール３ａ１は、当該第１のグリップ２１の壁体２１ａにおける第１面２１ａ１を貫通している。当該第２面２１ａ２には、凹陥状の収容部３ｂが設けられており、前記収容部３ｂにレール３ｂ１が設けられている。当該レール３ｂ１は当該壁体２１ａの第２面２１ａ２を貫通しており、収容部３ａと他の収容部３ｂの位置は互いに対応している。当該レール３ａ１と他のレール３ｂ１の位置は対応しており、図２−１に示すように、当該収容部３ａの上縁には１以上の凹陥部３１ａ，３１ｂ，３１ｃが設けられている。
【００１８】
図２〜図５を参照して、当該制御装置１を当該第１のグリップ２１に組み付ける組み立て構造では、前記第１ユニット１１のスタッド部１１２を当該第１のグリップ２１の収容部３ａに突き合わせ、ロッド部１３の一端を当該ロッド孔１１１ａに挿入するのと同時に、当該スタッド部１１２を当該中空管体１２２のパイプに進入させる。当該スタッド部１１２がパイプ内に挿入されて、当該フック部１１３部分まで進入すると、当該貫通溝１１４が設計されていることから、当該フック部１１３の斜面１１３ａが管壁に衝突する際に、当該スタッド部１１２の幅が圧縮される。そして、当該フック部１１３の斜面１１３ａが押圧されつつ、当該フック部１１３が当該窓１２３に至るまで進入すると、当該フック部１１３が当該窓１２３の開放空間で再び解放されることで、当該スタッド部１１２が解放されて元の幅へと回復する。これにより、当該フック部１１３が当該窓１２３の縁に係合されるのと同時に、当該ロッド部１３の他端が当該第２ユニット１２に突き合わされて、ロッド孔１２１ａに挿入される。当該スタッド部１１２が当該中空管体１２２に対し堅固に係止されることから、これらに対向する当該ロッド部１３は強く押圧されて、当該頭部１１１と１２１の間に固定される。よって、前記ロッド部１３により、当該中空管体１２２は互いに対向し且つ平行なダブルロッド構造となる。これにより、当該制御装置１は当該第１のグリップ２１に組み付けられるとともに、当該第１のグリップ２１において一定ピッチでの変位が可能となる
【００１９】
上記のように、当該第２ユニット１２の止め部１２４ａは、当該凹陥部３１ａ，３１ｂ，３１ｃにおいて変位調整を行う場合、当該凹溝１２５が設計されていることから、下方に凹陥するようわずかに圧縮可能である。当該収容部３ａの凹陥部３１ａ，３１ｂ，３１ｃに変位する場合、当該止め部１２４ａは解放されて元通りに突出することで、当該凹陥部３１ａ，３１ｂ，３１ｃに当接する。これにより、当該制御装置１を所望の凹陥部３１ａ，３１ｂ，３１ｃの位置へ変位するよう調整する場合に、一時的な位置決めが可能となる。
【００２０】
続いて、当該制御装置１によって当該第１のグリップ２１と当該第２のグリップ２２の開口ピッチを調整する方式としては、当該制御装置１を当該凹陥部３１ａ，３１ｂ，３１ｃの位置決め位置へ移動させるよう調整する。当該ロッド部１３は、当該刃本体２１１の内端に設けられた当接部２１１ａに当接し、図６に示すように、当該ロッド部１３が当接部２１１ａに当接する位置では、刃本体２２１，２１１が閉止され、当接部２１１ａから離間した位置では、当該第１のグリップ２１と当該第２のグリップ２２の開口ピッチを調整したり、刃本体２２１，２１１を開放したりできる。図７に示すように、当該制御装置１を凹陥部３１ｃの位置まで変位させるよう調整すると、当該第１のグリップ２１と当該第２のグリップ２２は、刃本体２１１，２２１が閉止されてせん断不可能な状態となる。図８に示すように、当該制御装置１を凹陥部３１ａの位置まで変位させるよう調整すると、当該第１のグリップ２１と当該第２のグリップ２２は、刃本体２１１，２２１が開放されてせん断可能な状態となる。なお、当該第１のグリップ２１と当該第２のグリップ２２の開口ピッチを調整する構造については本考案の主な特徴ではないため、ここでは詳述しない。
【００２１】
本考案の優れた特徴として、当該制御装置１は、当該第１ユニット１１と当該第２ユニット１２を互いに係止させる構造を備えることで組み付けを達成可能としている。且つ、当該第１ユニット１１と当該第２ユニット１２は係止により密着状態となることから、補助工具を使用しなくとも組み付けを完了させられる。よって、組み立て速度が高速化するとともに、コストが削減され、且つ脱離といった不具合が発生しない。
【００２２】
以上は本考案の好ましい実施例にすぎず、本考案の実施範囲を限定する主旨ではない。即ち、本考案における実用新案登録請求の範囲に基づく等価な変更及び追加は、いずれも本考案における実用新案登録請求の範囲に含まれる。
【符号の説明】
【００２３】
１        制御装置
１１      第１ユニット
１１１    頭部
１１１ａ  ロッド孔
１１２    スタッド部
１１３    フック部
１１３ａ  斜面
１１４    貫通溝
１２      第２ユニット
１２１    頭部
１２１ａ  ロッド孔
１２２    中空管体
１２３    窓
１２４    平台
１２４ａ  止め部
１２５    凹溝
１２６    開口
１３      ロッド部
２１      第１のグリップ
２１ａ    壁体
２１ａ１  第１面
２１ａ２  第２面
２１１    刃本体
２１１ａ  当接部
２２      第２のグリップ
２２１    刃本体
３ａ      収容部
３ａ１    レール
３ｂ      収容部
３ｂ１    レール
３１ａ    凹陥部
３１ｂ    凹陥部
３１ｃ    凹陥部
【図１】
0003202651.tif 000003
【図１−１】
0003202651.tif 000004
【図２】
0003202651.tif 000005
【図２−１】
0003202651.tif 000006
【図３】
0003202651.tif 000007
【図４】
0003202651.tif 000008
【図５】
0003202651.tif 000009
【図６】
0003202651.tif 000010
【図７】
0003202651.tif 000011
【図８】
0003202651.tif 000012